(57)【特許請求の範囲】
【請求項１】
被写体を撮像するカメラ部と、このカメラ部に対して映像信号処理および制御を行なうカメラ制御部とを内蔵する本体ケースと、この本体ケースを回動自在に保持する保持部と、この保持部を回動自在に保持するスタンド部とからなるビデオカメラにおいて、
前記スタンド部底部の前方に垂設され被取付体に当接する当接片と、前記スタンド部底部の後方に回動自在に取付けられたレバー部と、このレバー部を前記スタンド部底部の方へ付勢する付勢手段とを備え、前記レバー部は一端を前記スタンド部に軸支されるレバー本体と、このレバー本体の他端には被取付体に当接するように形成された当接部とから構成するとともに前記レバー部の底面側は平面状であり、前記レバー部は、使用時には前記当接部と前記当接片により被取付体を挟持し、非使用時には前記スタンド部に圧接するように収納されるとともに、前記スタンド底面部は、前記当接片を除いてほぼ平面状であることを特徴とするビデオカメラ。
【請求項２】
前記スタンド部の縁部は下方に向かって立壁を形成するように垂設され、前記レバー部が、非使用時には前記立壁内に収納されることを特徴とする請求項１に記載のビデオカメラ。
【請求項３】
前記当接部の被取付体への当接面は平面形状とし、レバー部の使用時には被取付体に当接面が面接触するように、前記レバー本体先端部に前記当接部を回動自在に枢支したことを特徴とする請求項１もしくは２に記載のビデオカメラ。
【請求項４】
前記当接部の当接面と前記当接片にあって、被取付体を挟持するための挟持面に滑り止め体を設けたことを特徴とする請求項３に記載のビデオカメラ。
【請求項５】
前記レバー部の非使用時における収納時において、前記レバー部の下面に滑り止め体を設けたことを特徴とする請求項１に記載のビデオカメラ。
【請求項６】
前記スタンド部の立壁の延長上に前記当接片を一体的に設けたことを特徴とする請求項２に記載のビデオカメラ。
【発明の詳細な説明】
【０００１】
【発明の属する技術分野】
本発明は、コンピュータ等の情報機器に画像情報を入力するためのビデオカメラに関し、特に液晶ディスプレイ等を使用した情報機器に好適なビデオカメラの取り付けや据え付け構造に関する。
【０００２】
【従来の技術】
従来のテレビ会議システムやテレビ電話システムで使用されるビデオカメラは、デスクトップタイプのパーソナルコンピュータでの使用を前提としているため、ＣＲＴディスプレイ上面の厚みの大きいところに置いて使用するタイプのものがほとんどであった。また、最近急増しつつある液晶ディスプレイ等の厚みの小さいディスプレイに固定したり、平面部に置いて使用するタイプのものも特開平１０−２３３９４８号公報に提案されている。
【０００３】
この公報に記載のテレビジョンカメラでは、スタンドを回動させて引き起こし、次にクランプをフラットディスプレイの厚みまで引き出すことにより、バネの付勢力を利用してクランプ部と本体ケースでフラットディスプレイの縁を挟み込むことによりカメラを固定し、又平面部に据え置く場合は、スタンドを回動させて引き起こし、そのスタンドと本体ケースの底面を平面部に接触させて立てる方法が提案されている。
【０００４】
【発明が解決しようとする課題】
しかしながら、上記公報に記載のテレビジョンカメラのフラットディスプレイへの保持方法では、操作手順が段階的で複雑になるとともに、平面部に据え置く場合は、上記保持方法とはスタンドの移動方向が異なり操作手順が直感的に分かりづらいと言う問題があった。
【０００５】
本発明は、簡単な操作で、ビデオカメラを厚みの異なるフラットディスプレイの縁に取り付けたり、ＣＲＴディスプレイの上面の前縁に沿って保持して使用したり、机の上などの平面に据え置くことができるようにして、設置場所の自由度を高めるとともにコンパクトな見栄えの良いビデオカメラの提供を目的とする。
【０００６】
【課題を解決するための手段】
本発明のビデオカメラは上記課題を解決するために、請求項１に記載の発明は被写体を撮像するカメラ部と、このカメラ部に対して映像信号処理および制御を行なうカメラ制御部とを内蔵する本体ケースと、この本体ケースを回動自在に保持する保持部と、この保持部を回動自在に保持するスタンド部とからなるビデオカメラにおいて、前記スタンド部底部の前方に垂設され被取付体に当接する当接片と、前記スタンド部底部の後方に回動自在に取付けられたレバー部と、このレバー部を前記スタンド部底部の方へ付勢する付勢手段とを備え、前記レバー部は一端を前記スタンド部に軸支されるレバー本体と、このレバー本体の他端には被取付体に当接するように形成された当接部とから構成するとともに前記レバー部の底面側は平面状であり、前記レバー部は、使用時には前記当接部と前記当接片により被取付体を挟持し、非使用時には前記スタンド部に圧接するように収納されるとともに、前記スタンド部底面部は前記当接片を除いてほぼ平面状である。この構成によりレバー部を引き出すだけでフラットディスプレイ等の厚さの異なるさまざまな被取付体にビデオカメラを簡単に取付けることができ、また、被取付体からレバーを外すだけでレバー部はスタンド部にコンパクトに収納され、しかも、この収納状態で、ＣＲＴディスプレイ上や平面部に据え置くことができる。
【０００７】
また、請求項２記載の発明は、請求項１記載の発明において、前記スタンド部の縁部は下方に向かって立壁を形成するように垂設され、前記レバー部が、非使用時には前記立壁内に収納されるように構成しており、この構成により収納時立壁によりカバーされてレバー部がみえないので外観見栄えがよくなるとともにスタンド部の強度も強くなる。
【０００８】
そして、請求項３記載の発明は、請求項１若しくは請求項２記載の発明において、前記当接部の被取付体への当接面は平面形状とし、レバー部の使用時には被取付体に前記当接面が面接触するように、前記レバー本体先端部に前記当接部を回動自在に枢支した構成であり、この構成により被取付体を狭持する面積が大きくなりビデオカメラの固定が安定する。
【０００９】
そしてまた、請求項４記載の発明は、請求項３記載の発明において、前記当接部の当接面と前記当接片にあって、被取付体を狭持するための狭持面に滑り止め体を設けた構成であり、この構成により被取付体を狭持している時のビデオカメラのズレ落ちを防ぎ確実に固定することができる。
【００１０】
さらに、請求項５記載の発明は、請求項１記載の発明において、レバー部の非使用時における収納時において、レバー部の下面（スタンド部の対向面の反対側）に滑り止め体を設けた構成であり、この構成によりＣＲＴディスプレイ上面に置いたビデオカメラのズレ落ちや落下を防ぐことができる。
【００１１】
さらにまた、請求項６記載の発明は、請求項２記載の発明において、スタンド部の立壁の延長上に前記当接片を一体的に設けた構成であり、その構成がシンプルになり外観デザインが優れたものになる。
【００１２】
【発明の実施の形態】
本発明のビデオカメラの実施の形態を図１乃至図７を参照して説明する。
【００１３】
＜第１の実施の形態＞
まず、本発明の第１の実施の形態を図１乃至図３に従って詳細に説明する。
【００１４】
図１は、ビデオカメラをフラットディスプレイ等の被取付体に固定した状態を示す側面要部断面図であり、被写体を撮像するカメラ部１は、被写体を撮像するためのレンズと、被写体からの像を固体撮像素子に集光し固体撮像素子にて電気信号に変換する駆動回路とから構成されている。
【００１５】
カメラ部１からの電気信号は、映像信号処理および制御を行うためのカメラ制御部２で映像信号に処理されて本体ケース３の後面に挿通した信号ケーブル４から出力される。尚、カメラ部１とカメラ制御部２は本体ケース３の内部に固定されている。この本体ケース３と後述するスタンド部８とは保持部５を介して接続されている。
【００１６】
この保持部５は本体ケース３を回転自在に保持する保持部上６と、スタンド部８上面に設けた一対の三角状の突設片に回動自在に軸支された保持部下７とで構成され、保持部上６は保持部下７に対し左右略１８０度回転できるようにその嵌合部を円筒状の凹凸形状に形成し回転摺動できるように接続されている。
【００１７】
また、本体ケース３の後部は円筒状に形成され、一方保持部上６の上部は円筒状の一部を切り欠いたつまり上方に開口するＣ型形状に形成され、このＣ型形状部に本体ケース３の円筒部を挿入することにより、本体ケース３は保持部上６に回転自在に保持される。
【００１８】
尚、本体ケース３と保持部上６との着脱については、本体ケース３の軸方向には着脱できないようになっており、プラスチック又は金属からなる保持部上６の弾力を利用して切り欠いた円筒部を一時広げるようにして本体ケース３を着脱することができる。
【００１９】
これらの構成により、本体ケース３に内蔵されたカメラ部１は、スタンド部８に対して、光軸周りと、水平面上で３６０°回転でき、軸を中心に一定角度上下に動かせることのできる構造となる。
【００２０】
また、スタンド部８は平面視略長方形であり長手方向が前後方向となっており、スタンド部８上面は前述の如く保持部下７を軸支しており、スタンド部８底部の前方には、パーソナルコンピュータのフラットディスプレイ等の被取付体９を固定するための当接片１０を鉛直方向に垂設する。
【００２１】
また、スタンド部８底部の後方には回転軸１１を有し、一端がこの回転軸１１に回動自在に軸支されたレバー部１２を設け、このレバー部１２を常時スタンド部８に付勢するコイルバネや板バネなどからなる付勢手段１５をレバー部１２とスタンド部８の間に内設している。
【００２２】
このレバー部１２は、前述の如く一端を回転軸１１に軸支されたレバー本体１３と、このレバー本体１３の他端にはフラットディスプレイの裏面に当接するように丸みを持って形成された当接部１４とから構成される。
【００２３】
尚、カメラ部１前方には撮像しないときに光路を遮ることができるシャッター１６が本体ケース３と摺動するように設けられている。
【００２４】
図２はスタンド部にレバー部が収納された状態の側面要部断面図を示し、図３はスタンド部にレバー部が収納された状態の底面図を示す。
【００２５】
図２及び図３において、スタンド部８の周囲の縁部は下方に向かって立壁２１が周設されており、付勢手段１５の作用によりスタンド部８の方にレバー部１２が収納された状態におけるレバー部１２の底面の高さと、立壁２１の高さはほぼ同じ高さとなっている。
【００２６】
上記構成による動作としては、ビデオカメラをフラットディスプレイ等の被取付体９の縁に固定して使用するときには、図２及び図３の状態からレバー部１２を付勢手段１５の付勢力に抗して指で引き起こして、当接片１０を被取付体９の一面にあてがうようにし、次にレバー部１２先端の当接部１４が被取付体９の反対側の面に当接するようにしてレバー部１２から指を離すと、当接片１０と当接部１４間で被取付体を挟み込み、付勢手段１５の付勢力でビデオカメラを保持固定（図１の状態）する。
【００２７】
また、ビデオカメラを被取付体９から取り外すときは、レバー部１２を引き起こすだけで簡単に取り外すことができ、レバー部１２は付勢手段１５の付勢力によりスタンド部８の底部の方に圧接されるように収納されるためコンパクトになるとともに、立壁２１によりレバー部１２が隠れるため見栄えもよくなる。
【００２８】
＜第２の実施の形態＞
本発明の第２の実施の形態を図４乃至図６に従って詳細に説明する。
【００２９】
図４は、ビデオカメラをフラットディスプレイに固定した状態を示す側面要部断面図であり、図５はスタンド部にレバー部を収納した状態の側面要部断面図を示し、図６はスタンドにレバー部を収納した状態の底面図を示す。
【００３０】
本実施の形態は前記第１の実施の形態に対しレバー部１２の当接部１４に代わり後述するプレート３１を用いている部分のみ異なっており、その部分以外の説明は省略するとともに同一部分には同一符号を付して説明する。
【００３１】
被取付体９への当接面が平面形状を有するプレート３１はレバー部１２先端部に回動自在に軸支されており、その回転軸線を水平にすることにより厚さの異なる被取付体９を挟持してもプレート３１の平面部が被取付体９に対し常に面接触するようになっている。また、当接片１０とプレート３１の被取付体９を挟持したときの接触面にはゴム等摩擦抵抗の大きい材料からなる滑り止め体４１がそれぞれ設けられている。
【００３２】
この構成により被取付体９を挟持する面積が大きくなり、ビデオカメラを保持固定がより安定するとともに、滑り止め体４１を設けることにより振動などによるビデオカメラのズレを防ぐことができ、ビデオカメラの保持固定がより一層安定する
尚、レバー部を収納した状態（図５及び図６）ではレバー部１２の先端部のプレート３１はその平面部を上にしてスタンド部８底部に収納される。
【００３３】
＜第３の実施の形態＞
本発明の第３の実施の形態を図７に従って詳細に説明する。
【００３４】
図７は、ビデオカメラをＣＲＴディスプレイの上に載せて使用している状態の側面要部断面図であり、本実施の形態は前記第１の実施の形態に対し、レバー本体１３の表面にゴム製の滑り止め体４１設けた部分のみ異なっており、その部分以外の説明は省略するとともに同一部分には同一符号を付して説明する。
【００３５】
図７に示すようにＣＲＴディスプレイ５１の上にビデオカメラを取付ける場合は、ＣＲＴディスプレイ５１の厚みが大きいのでレバー部１２を利用してＣＲＴディスプレイ５１を挟持できないので、レバー部１２を収納した状態で当接片１０をＣＲＴディスプレイ５１の縁に沿わせ、レバー部１２をＣＲＴディスプレイ５１の上面と接触するようにビデオカメラを載置すればよい。
【００３６】
この場合レバー部１２の底面にあってＣＲＴディスプレイ５１に接触する面にゴム等摩擦抵抗の大きい材料からなる滑り止め体４１を設けることにより、振動衝撃などによるビデオカメラの移動ズレ落下等を防ぐことができる。
【００３７】
尚、滑り止め体として吸着盤を利用してもその効果は大きい。
【００３８】
＜第４の実施の形態＞
本発明の第４の実施の形態を図８乃至図１０に従って詳細に説明する。
【００３９】
図８は本実施の形態のビデオカメラの側面要部断面図であり、図９はビデオカメラを机の上などの平面に据え置いた状態を示す正面図を示し、図１０は図９の側面図である。
【００４０】
本実施の形態は前記第１から第３の実施の形態におけるスタンド部８の立壁と当接片１０を一体化して立壁６１を形成している部分のみ異なっており、その部分以外の説明は省略するとともに同一部分には同一符号を付して説明する。
【００４１】
図８において、スタンド部８底部の前方の立壁６１はアーム部１２の底面ラインより下方に延設し、その延設部分がフラットディスプレイ等の被取付体を挟持するための当接面を形成している。前部を除く３面の立壁はアーム部１２の底面ラインとほぼ同じ高さに形成されている。図２及び図３に示したスタンド部８の周囲に形成された立壁２１と当接片１０の組み合わせに比べると、このスタンド部８底部の前方の立壁６１は、２つの機能を一体化すること部品形状の簡略化ができる。
【００４２】
また、最近の小型化されたビデオカメラにおいてはロゴマーク等を表示する場所が少ないが、図９及び図１０に示すようにビデオカメラを机の上などに置いて使用する場合、スタンド部８底部の前方の立壁６１の外観面は、パーソナルコンピュータを使用する人から見て正面に当たり、この平面部分に例えばロゴマーク７１を印刷すれば、意匠効果が高まる。もちろん、ロゴマーク７１は、シールを貼るようにしても良いし、立壁そのものに凹状に形成するようにしても良い。
【００４３】
【発明の効果】
本発明のビデオカメラは上記のような構成であるから、請求項１記載の発明によれば、フラットディスプレイ等の厚さの異なるさなざまな被取付体にビデオテレビを簡単に取付け取外しができ、取り外した時は取付けアーム部がコンパクトに収納されそのまま平面部に載置して使用することもできる。しかも、どのような使用状態でもパンニングおよびチルティング操作が容易に行うことができ、特にフラットディスプレイの側面に挟み込むようにビデオカメラを保持した場合でも、カメラの水平線を容易に調整することができる。
【００４４】
また、請求項２記載の発明によれば、レバー部の収納時外観的な見栄えが良い。しかも、アーム部の非使用時、スタンド部の安定性が良いとともにスタンド部そのものの強度も向上する。
【００４５】
そして、請求項３記載の発明によれば、アーム部の使用時フラットディスプレイに挟み込む際に保持力が向上する。
【００４６】
そしてまた、請求項４記載の発明によれば、アーム部の使用時フラットディスプレイに挟み込む際とアーム部の非使用時ＣＲＴディスプレイの上に当接片を縁に沿わせて置く場合、滑り止め効果が期待できる。
【００４７】
さらに、請求項５記載の発明によれば、アーム部の非使用時ＣＲＴディスプレイの上に当接片を縁に沿わせて置く場合、より一層の滑り止め効果が期待できる。
【００４８】
さらにまた、請求項６記載の発明によれば、部品形状が簡略化できるとともに外観の意匠効果を高めることができる。
【図面の簡単な説明】
【図１】本発明のビデオカメラの第１の実施の形態を示し、ビデオカメラをフラットディスプレイに固定した状態を示す側面要部断面図である。
【図２】本発明のビデオカメラの第１の実施の形態のスタンド部にレバー部を収納した状態を示すを側面要部断面図である。
【図３】図２の底面図である。
【図４】本発明のビデオカメラの第２の実施の形態を示し、ビデオカメラをフラットディスプレイに固定した状態を示す側面要部断面図である。
【図５】本発明のビデオカメラの第２の実施の形態のスタンド部にレバー部を収納した状態を示す側面要部断面図である。
【図６】図６の底面図である。
【図７】本発明のビデオカメラの第３の実施の形態を示し、ビデオカメラをＣＲＴディスプレイの上に載せた状態を示す側面要部断面図である。
【図８】本発明のビデオカメラの第４の実施の形態を示し、ビデオカメラをＣＲＴディスプレイの上の載せて使用している状態んを示す側面要部断面図である。
【図９】本発明のビデオカメラの第４の実施の形態のビデオカメラを机の上などの平面に据え置いた状態を示す正面図である。
【図１０】図９の側面図である。
【符号の説明】
１  カメラ部
２  カメラ制御部
３  本体ケース
４  信号ケーブル
５  保持部
８  スタンド部
９  被取付体
１０  当接片
１１  回転軸
１２  レバー部
１３  レバー本体
１４  当接部
１５  弾性体
１６  シャッター
２１  立壁
３１  プレート
４１  滑り止め体
６１  立壁
７１  ロゴマーク
【図１】
0003833837.tif 000002
【図２】
0003833837.tif 000003
【図３】
0003833837.tif 000004
【図４】
0003833837.tif 000005
【図５】
0003833837.tif 000006
【図６】
0003833837.tif 000007
【図７】
0003833837.tif 000008
【図８】
0003833837.tif 000009
【図９】
0003833837.tif 000010
【図１０】
0003833837.tif 000011